(57)【要約】【課題】  上面視略Ｌ字形の脚フレームの斬新性とデザイン性を損なうことなく、テーブルの安定性を高めたテーブルの脚構造を提供すること。【解決手段】  脚フレーム２１の嵌合溝２４ｂに下部プレート２５の凸部２６を嵌合させることで、脚フレーム２１の下端面２４’に下部プレート２５を容易に取り付けることができ、この下部プレート２５によってテーブルを支持する脚フレーム２１の床面３４との当接面積が広くなり、安定性を高めることができ、かつこの下部プレート２５にアジャスタを設けることもできる。また下部プレート２５の周面における２側面が、脚フレーム２１と下部プレート２５の取り付け時において、脚フレーム２１の正面の外側面２３ａと側面の外側面２３ａ’の２側面と略面一となっており、脚フレーム２１と下部プレート２５との継ぎ目を目立たせないようにできるので、テーブルの外部からの体裁が良好である。【選択図】  図９
2005185601.tif 000002
【特許請求の範囲】
【請求項１】
脚フレームの上部に天板を取り付けたテーブルの脚フレームの構造であって、前記脚フレームは、上面視略Ｌ字形で上下方向に延び、かつＬ字の両翼下端面に嵌合溝が形成され、この脚フレームの下端面に当接する下部プレートには前記嵌合溝と嵌合する凸部が設けられ、前記嵌合溝に下部プレートに設けた凸部が嵌合することを特徴とするテーブルの脚構造。
【請求項２】
前記脚フレームのＬ字の両翼下端面にネジ取付溝を設け、前記下部プレートに前記ネジ取付溝と連通するネジ挿通孔を設け、該ネジ挿通孔に前記下部プレートの下方からネジを挿通させ、前記ネジ取付溝に螺合させる請求項１に記載のテーブルの脚構造。
【請求項３】
前記下部プレートの周面における２側面が、脚フレームの外側面と略面一になるようにした請求項１または２に記載のテーブルの脚構造。
【請求項４】
前記脚フレームの内角側に前記下部プレートを設け、該下部プレートの上面から上方を向く突起部を延設し、該突起部内に、下部プレートの下面から連続する雌ネジ部を形成し、該雌ネジ部にアジャスタに形成される雄ネジ部を螺合させた請求項１乃至３のいずれかに記載のテーブルの脚構造。
【請求項５】
前記雌ネジ部を、突起部の上方に貫通して設け、前記アジャスタの雄ネジ部の上面に工具が嵌合可能な嵌合部を設けた請求項４に記載のテーブルの脚構造。
【請求項６】
下部に雄ネジ部が形成された閉塞部材を設け、該閉塞部材の雄ネジ部を前記突起部の雌ネジ部に上方より螺合させた請求項５に記載のテーブルの脚構造。
【発明の詳細な説明】
【技術分野】
【０００１】
本発明は、脚フレームの上部に天板を取り付けたテーブルの脚フレームの構造に関する。
【背景技術】
【０００２】
従来のテーブル脚は、通常、上面視略四角形の支柱が利用させており、他のテーブル脚の形状としては、上面視略三角形の脚フレーム（特許文献１参照）や上面視略円形のテーブル脚（特許文献２参照）が知られている。これらのテーブル脚の下端面は床面に対し所定の面積をもって設置されているのでしっかりと接地されており、安定してテーブルを支持している。
【０００３】
また近年では、多種多様なテーブル脚がデザインされ、通常のテーブルにない斬新性と周囲の視線を引き付けるテーブル脚が消費者から広く要求され、本出願人においても斬新性とデザイン性に優れた上面視略Ｌ字形の脚フレームを用いたテーブルを考案した。
【０００４】
【特許文献１】実開平５−３９３３１号公報（第１図）
【特許文献２】特開平７−１１００１９号公報（第２図）
【発明の開示】
【発明が解決しようとする課題】
【０００５】
しかしながら、本出願人の上面視略Ｌ字形の脚フレームにおいては、従来のテーブル脚に比べて、床との接地面積が少なくテーブルの安定性に若干の問題があった。
【０００６】
本発明は、このような問題点に着目してなされたもので、上面視略Ｌ字形の脚フレームの斬新性とデザイン性を損なうことなく、テーブルの安定性を高めたテーブルの脚構造を提供することを目的とする。
【課題を解決するための手段】
【０００７】
上記課題を解決するために、本発明の請求項１に記載のテーブルの脚構造は、支持枠体のコーナー支持部材の下方に脚フレームを設け、該支持枠体の上部に天板を取り付けたテーブルの脚フレームの構造であって、前記脚フレームは、上面視略Ｌ字形で上下方向に延び、かつＬ字の両翼下端面に嵌合溝が形成され、この脚フレームの下端面に当接する下部プレートには前記嵌合溝と嵌合する凸部が設けられ、前記嵌合溝に下部プレートに設けた凸部が嵌合することを特徴としている。
この特徴によれば、脚フレームの嵌合溝に下部プレートの凸部を嵌合させることで、脚フレームの下端面に下部プレートを容易に取り付けることができ、この下部プレートによってテーブルを支持する脚フレームの床面との当接面積が広くなり、安定性を高めることができる。
【０００８】
本発明の請求項２に記載のテーブルの脚構造は、請求項１に記載のテーブルの脚構造であって、前記脚フレームのＬ字の両翼下端面にネジ取付溝を設け、前記下部プレートに前記ネジ取付溝と連通するネジ挿通孔を設け、該ネジ挿通孔に前記下部プレートの下方からネジを挿通させ、前記ネジ取付溝に螺合させることを特徴としている。
この特徴によれば、下部プレートのネジ挿通孔にネジを挿通させ、脚フレームのネジ取付溝に螺合させることで、前記脚フレームに下部プレートを強固に固定することができる。
【０００９】
本発明の請求項３に記載のテーブルの脚構造は、請求項１または２に記載のテーブルの脚構造であって、前記下部プレートの周面における２側面が、脚フレームの外側面と略面一になるようにしたことを特徴としている。
この特徴によれば、脚フレームの外側面と下部プレートの２側面が面一となり、脚フレームと下部プレートとの継ぎ目を目立たせないようにできるので、テーブルの外部からの体裁が良好である。
【００１０】
本発明の請求項４に記載のテーブルの脚構造は、請求項１乃至３のいずれかに記載のテーブルの脚構造であって、前記脚フレームの内角側に前記下部プレートを設け、該下部プレートの上面から上方を向く突起部を延設し、該突起部内に、下部プレートの下面から連続する雌ネジ部を形成し、該雌ネジ部にアジャスタに形成される雄ネジ部を螺合させたことを特徴としている。
この特徴によれば、アジャスタが取り付けられる突起部は脚フレームの内角側となる下部プレートに設けられるので、脚フレームの２側面から突起部が隠蔽されテーブルの外部からの体裁が良好で脚フレームのデザイン性を損なうことがない。
【００１１】
本発明の請求項５に記載のテーブルの脚構造は、請求項４に記載のテーブルの脚構造であって、前記雌ネジ部を、突起部の上方に貫通して設け、前記アジャスタの雄ネジ部の上面に工具が嵌合可能な嵌合部を設けたことを特徴としている。
この特徴によれば、下部フレームの下部にアジャスタが取り付けられた状態であっても、突起部の上方より工具の先端をアジャスタの嵌合部に差し込んで、テーブルを所望の高さへと容易に調整することができるので、従来のように脚フレームを持ち上げてアジャスタの高さ調整を行う必要がなく、作業者の労力を低減できる。
【００１２】
本発明の請求項６に記載のテーブルの脚構造は、請求項５に記載のテーブルの脚構造であって、下部に雄ネジ部が形成された閉塞部材を設け、該閉塞部材の雄ネジ部を前記突起部の雌ネジ部に上方より螺合させたことを特徴としている。
この特徴によれば、閉塞部材の雄ネジ部を突起部に形成した雌ネジ部を利用して螺合させることで、突起部の上面に閉塞部材の取り付けが行われ、突起部の雌ネジ部が閉蓋され外部からの塵埃が雌ネジ部に侵入することを防ぐ。
【発明を実施するための最良の形態】
【００１３】
本発明の実施例を以下に説明する。
【実施例】
【００１４】
図1は、本発明の実施例としてのテーブルの支持枠体構造の全体像を示す斜視図であり、図２は、テーブルの天板を支持する支持枠体を構成する各部材を示す分解斜視図であり、図３は、支持枠体を構成するコーナー支持部材と、正面の天板支持フレームと、脚フレームとの分解組立斜視図を示す図であり、図４は、コーナー支持部材の嵌合突起と天板支持フレームとの連結を示す断面図であり、図５は、コーナー支持部材にコーナーカバーを取り付ける分解組立斜視図を示す図であり、図６は、コーナー支持部材とコーナーカバーとの連結を示す断面図であり、図７は、正面と側面の天板支持フレームと、コーナー支持部材と、脚フレームと、コーナーカバーが連結された組立完成斜視図であり、図８は、支持枠体に天板を取り付けた状態を示すテーブルの斜視図であり、図９は、脚フレームの下端部の構造を示す分解組立斜視図であり、図１０は、脚フレームの高さ調整を示す断面図である。
【００１５】
図１に示されるように、天板２の下面に沿うように設けられた前後の天板支持フレーム１４の両端にコーナーカバー３０を備えたコーナー支持部材３を設け、左前後と右前後のコーナー支持部材３間を天板支持フレーム１４’で連結することで支持枠体を構成する。これら４つのコーナー支持部材３の下端に脚フレーム２１が設けられ、支持枠体の上方より天板２を取り付けることで、テーブル１が構成されている。なお、脚フレーム２１の下端には下部プレート２５が設けられ、この下部プレート２５の下面にアジャスタ２８が取り付けられることで、テーブル１全体を支持している。
【００１６】
なお、このテーブル１は、主に会社役員等の役職向けのデスクワーク用テーブルとして製作されているが、その用途を特に限定するものではない。また、特に図示しないが、天板２の左右の下方空間には物品等を収容できるキャビネットを収納できるようになっている。
【００１７】
図２に示されるように、コーナー支持部材３は、上面視略Ｌ字形の上面支持板６と、この上面支持板６の下面から下方に延設された上面視上面支持板と同じ向きのＬ字形の垂直支持板７と、この垂直支持板７の両側端部に接続した端部支持板４、５と、この端部支持板４、５の面部に直行して外方に突出する嵌合突起１０、１１が形成されている。端部支持板４には面部に直行して後述する連結ボルトが挿通するボルト挿通孔４ａが形成され、同様に端部支持板５にも面部に直行してボルト挿通孔５ａが形成されている。
【００１８】
正面の天板支持フレーム１４の端面１８には、コーナー支持部材３の嵌合突起１０が嵌合可能な嵌合溝１８ａと連結ボルトが螺合する雌ネジ部１８ｂが形成され、側面の隣り合う天板支持フレーム１４’の端面１８’にも、天板支持フレーム１４と同様に嵌合突起１１が嵌合可能な嵌合溝１８ａ’と雌ネジ部１８ｂ’が形成されている。
【００１９】
上面視略Ｌ字形の脚フレーム２１の上部側は、後で説明するが、コーナー支持部材３のＬ字形垂直支持板７の２つの面に接合可能な形状になっている。コーナーカバー３０は、垂直支持板７と脚フレーム２１の上部側を外方より覆う正面と側面の２面の両翼からなるＬ字形の外面部３１を備えている。
【００２０】
そこで、上記したコーナー支持部材３、天板支持フレーム１４、脚フレーム２１のより詳細な説明と、コーナー支持部材３に天板支持フレーム１４、１４’と脚フレーム２１を取り付ける連結構造を具体的に説明する。なお、天板支持フレーム１４’については、天板支持フレーム１４と端面の断面形状が同じ構成の部材でコーナー支持部材３との連結も略同様の構成であるためコーナー支持部材３の側面側も含めて、以下の本実施例ではその説明を一部省略する。
【００２１】
図３に示されるように、コーナー支持部材３の上面支持板６正面側には、天板支持フレーム１４の長手方向と同一方向の複数の凹凸溝６ａが形成され、上面支持板６側面側には、天板支持フレーム１４’の長手方向と同一方向の複数の凹凸溝６ａ’（図７参照）が形成され、この凹凸溝６ａと凹凸溝６ａ’はそれぞれ中間位置で接続して、連続した略Ｌ字状溝に形成されている。
【００２２】
垂直支持板７の上部には、Ｌ字の一方の外側面７ｂから内側面７ａにかけて、ネジ１３が挿通可能なネジ挿通孔７ｃが３箇所形成されるとともに、コーナーカバー用固定ネジが挿通可能なネジ挿通孔７ｄが形成されており、Ｌ字の他方の外側面７ｂ’から内側面７ａ’にかけて、ネジ１３’が挿通可能なネジ挿通孔７ｃ’が３箇所形成されるとともに、コーナーカバー用固定ネジが挿通可能なネジ挿通孔７ｄ’が形成されている。
【００２３】
端部支持板４より突出する嵌合突起１０には、後面側から前面方向に向けて挿入される固定ネジ４３と螺合可能な雌ネジ孔１０ａが形成され、連結ボルト４１をコーナー支持部材３の内側から天板支持フレーム１４に向かって挿通する連結ボルトの挿通孔４ａが形成されている。
【００２４】
天板支持フレーム１４は、上面部１５、後面部１９、下面部１７、テーパー面部からなる前面部２０で構成され、テーパー面部は上方から下方に向かい後方に傾斜するテーパー面が形成されている。天板支持フレーム１４の端面１８側には、コーナー支持部材３の嵌合突起１０と嵌合可能な嵌合溝１８ａが形成されるとともに、連結ボルト４１と螺合可能な雌ネジ部１８ｂが略中心部に形成されている。後面部１９には後面側から前面側に向けて、固定ネジ４３を挿通可能な通孔１９ａ（図４参照）が形成されている。
【００２５】
上面部１５には天板支持フレーム１４の長手方向に沿って複数の溝が形成された凹凸面１５ａが形成され、前面部も同様に長手方向に沿って複数の溝が形成された凹凸面２０ａが形成されている。
【００２６】
脚フレーム２１の上部には、Ｌ字形の一方の外側面２３ａから内側面２２ａにかけて、ネジ１３が螺合可能なネジ穴２３ｂが前記のネジ挿通孔７ｃと連続できる位置に３箇所形成されるとともに、コーナーカバー用固定ネジが挿通可能なネジ挿通孔２２ｂが形成されており、Ｌ字形の他方の外側面２３ａ’から内側面２２ａ’にかけても、ネジ１３’が螺合可能なネジ孔２３ｂ’が３箇所形成されるとともに、コーナーカバー用固定ネジが挿通可能なネジ挿通孔２２ｂ’が形成されている。
【００２７】
そこで、上記したコーナー支持部材３と天板支持フレーム１４と脚フレーム２１の連結について説明する。
【００２８】
まず、コーナー支持部材３と脚フレーム２１の連結を説明する。脚フレーム２１の上端面２４を上面支持板６の内角側の下面に当接させ、脚フレーム２１のＬ字形の一方外側面２３ａと垂直支持板７のＬ字形の一方内側面７ａとを当接するとともに、脚フレーム２１のＬ字形の他方外側面２３ａ’と垂直支持板７のＬ字形の他方内側面７ａ’とを当接する。
【００２９】
そして、垂直支持板７の外側面７ｂ側から固定ネジ１３をネジ挿通孔７ｃに挿通し、脚フレーム２１のネジ穴２３ｂに螺合させ、同様に外側面７ｂ’側から固定ネジ１３’をネジ挿通孔７ｃ’に挿通し、ネジ穴２３ｂ’に螺合させることにより、コーナー支持部材３と脚フレーム２１の連結が行われる。
【００３０】
このように、脚フレーム２１はコーナー支持部材３とＬ字の２面で接合し、脚フレーム２１の上端面２４は上面支持板６の下面と当接することで、脚フレーム２１のコーナー支持部材３に対する当接支持面が増え、脚フレーム２１の支持強度をより高めることができる。
【００３１】
次いで、コーナー支持部材３と天板支持フレーム１４の連結を説明する。嵌合溝１８ａに嵌合突起１０を嵌入させ、天板支持フレーム１４の端面１８と端部支持板４とを接合させた状態で、連結ボルト４１を端部支持板４のボルト挿通孔４ａに挿通して天板支持フレーム１４の端面１８方向に延出させ、端面１８に形成した雌ネジ部１８ｂに螺合させることにより、天板支持フレーム１４とコーナー支持部材３の連結が行われている。
【００３２】
さらに、図４に示されるように、固定ネジ４３を天板支持フレーム１４の後面部１９に形成されたネジ挿通孔１９ａに挿通させ、嵌合溝１８ａに嵌入された嵌合突起１０の雌ネジ孔１０ａに螺合させながら締め上げていくことで、天板支持フレーム１４とコーナー支持部材３との位置固定が行われ、互いの連結が補強される。
【００３３】
このように、嵌合突起１０を嵌合溝１８ａに嵌合した上でネジ結合しているので、コーナー支持部材３と天板支持フレーム１４の互いの連結がより強固に補強され、しかも、固定ネジ４３が天板支持フレーム１４の後面側から挿通されるので、ネジの取り付け位置がテーブルの外部から隠蔽される。そして天板支持フレーム１４’についても同様な連結を行う。
【００３４】
次に、コーナー支持部材３へのコーナーカバー３０の取り付けについて説明する。まず、コーナーカバー３０の構造について図５により説明すると、コーナーカバー３０の天板支持フレーム１４側の外面部３１は、天板支持フレーム１４と同じ後方にかけて下方に傾斜するテーパー面が形成されており、天板支持フレーム１４’側の外面部３１も、天板支持フレーム１４’と同じ後方にかけて下方に傾斜するテーパー面が形成されている。
【００３５】
外面部３１の天板支持フレーム１４側に天板支持フレーム１４の凹凸面２０ａの溝と連続する溝が設けられた凹凸面３１ａが形成され、外面部３１の天板支持フレーム１４’側にも天板支持フレーム１４’の凹凸面２０ａ’の溝と連続する溝が設けられた凹凸面３１ｂが形成されている。コーナーカバー３０のＬ字の後面２面側には、それぞれ固定ネジ４５、４６が螺合するネジ穴３２ａ、３２ａ’が設けられたネジ受部３２、３２’が形成されている。
【００３６】
そこで、コーナーカバー３０の取り付けに際しては、図６に示されるように、コーナー支持部材３の外側を閉蓋するように、コーナーカバー３０を外側から嵌め込みながら取り付け、さらに詳しくは、固定ネジ４５を脚フレーム２１の内側面２２ａの後方からネジ挿通孔２２ｂと垂直支持板７のネジ挿通孔７ｄを介して挿通させ、ネジ受部３２のネジ受孔３２ａに螺合させながら締め上げていくことにより、コーナーカバー３０の位置固定を行っている。
【００３７】
固定ネジ４６の取り付けも固定ネジ４５と同様に、固定ネジ４６を脚フレーム２１の内側面２２ａ’の後方からネジ挿通孔２２ｂ’と垂直支持板７のネジ挿通孔７ｄ’を介して挿通させ、ネジ受部３２’のネジ受孔３２ａ’に螺合させながら締め上げていくことにより、コーナーカバー３０をより強固に位置固定する構成になっている。
【００３８】
図７に示されるように、コーナー支持部材３の正面側に天板支持フレーム１４、コーナー支持部材３の側面側に天板支持フレーム１４’が連結されて支持枠体が構築され、コーナー支持部材３に脚フレーム２１が連結されることで、天板２を支持するテーブルが構成される。なお、本実施例においてはテーブル１（図１参照）の正面右側のコーナー側を中心に説明したが、他の正面左側、背面右側、背面左側のコーナー部の支持枠体におけるフレームの構造はすべて同一の構成であるので説明を省略する。
【００３９】
コーナー支持部材３と天板支持フレーム１４が連結された状態となると、天板支持フレーム１４の凹凸面１５ａとコーナー支持部材３の凹凸面６ａが面一となり、天板支持フレーム１４の長さ方向に沿って凹凸面１５ａと凹凸面６ａに設けられた溝が同位置で連接される。
【００４０】
同様に、コーナー支持部材３と天板支持フレーム１４’が連結された状態となると、天板支持フレーム１４’の凹凸面１５ａ’とコーナー支持部材３の凹凸面６ａ’が面一となり、天板支持フレーム１４’の長さ方向に沿って凹凸面１５ａ’と凹凸面６ａ’に設けられた溝が同位置で連接される。
【００４１】
また、コーナー支持部材３、天板支持フレーム１４が連結された状態では、天板支持フレーム１４の凹凸面２０ａとコーナーカバー３０の凹凸面３１ａが面一となり、天板支持フレーム１４の長さ方向に沿って凹凸面２０ａと凹凸面３１ａに設けられた溝が同位置で連接される。
【００４２】
同様に、コーナー支持部材３、天板支持フレーム１４’が連結された状態では、天板支持フレーム１４’の凹凸面２０ａ’とコーナーカバー３０の凹凸面３１ｂが面一となり、天板支持フレーム１４’の長さ方向に沿って凹凸面２０ａ’と凹凸面３１ｂに設けられた溝が同位置で連接される。なお、この凹凸溝６ａと凹凸溝６ａ’はそれぞれ中間位置で接続して、連続した略Ｌ字状溝に形成されている。
【００４３】
続いて天板２の取り付けについて説明する。図８に示されるように、天板支持フレーム１４の後面部１９には、Ｌ字状に屈曲した取付金具４７がネジ５１で固定され、天板支持フレーム１４’の後面部１９’には、Ｌ字状に屈曲した取付金具４８がネジ５０で固定されており、取付金具４７と取付金具４８の上端面には、それぞれ取付孔４７ａ、４８ａが形成されている。
【００４４】
予め天板２の下面には取付穴（図示略）が所定の取付位置に複数形成されている。この天板２を取付金具４７と取付金具４８の上端面に載置したのち、取付孔４７ａ、４８ａと天板の取付穴が重なる所定位置で、下方よりネジ４９、５０を取付孔４７ａ、４８ａを介して、それぞれの取付穴に螺合させることで、天板２の取り付けが行われ、テーブル１（図１参照）の組み立てが完成する。なお、取付金具の数と取付位置は天板の大きさにより適宜選定される。
【００４５】
次に、脚フレーム２１の下部に取り付けられる下部フレーム２５とアジャスタ２８について以下に詳述する。図９に示されるように、まず脚フレーム２１のＬ字の両翼には、上端面２４から下端面２４’の上下方向にかけて嵌合溝２４ｂが両翼の中心と両側端側の３箇所に形成され、これら嵌合溝２４ｂ間の位置に上端面２４から下端面２４’の上下方向にかけてネジ取付溝２４ａが４箇所形成されている。なお、本実施例で使用している脚フレーム２１はアルミの引き抜き材であるので、嵌合溝もネジ取付溝も脚フレームの全長に亘り形成されている。
【００４６】
上面視四角形の下部プレート２５は、上面２５ｃの四角の３箇所に凸部２６が上方に延出するように各々配設されている。これら凸部２６は脚フレーム２１に形成された３箇所の嵌合溝２４ｂにその下端面２４’側からそれぞれ嵌合できる形状となっている。
【００４７】
この３箇所に設けられた凸部２６の間には、上面２５ｃから下面２５ｄの上下方向にネジ２５ｂが挿通可能なネジ挿通孔２５ａがネジ取付溝２４ａと連通可能な位置に合わせて４箇所形成されており、これらネジ挿通孔２５ａに下面２５ｄよりネジ２５ｂを挿通して、脚フレーム２１の下端面２４’に形成された４箇所のネジ取付溝２４ａにそれぞれ螺合さすることで、下部プレート２５は脚フレーム２１と強固に固定される。
【００４８】
脚フレーム２１の正面の内側面２２ａと側面の内側面２２ａ’の２側面の内角側となる下部プレート２５の上面２５ｃの中央位置には、下部プレート２５の上面２５ｃから上方向に延出するように突起部２７が延設され、この突起部２７から下部プレート２５にかけて上下方向に連続する雌ネジ部２７ａが形成されている。
【００４９】
下部プレート２５の下方にアジャスタ２８が設けられ、アジャスタ２８の上部には上方に延出する雄ネジ部２８ａが設けられており、雄ネジ部２８の上面２８ｃには下方に凹設された嵌合部２８ｂが形成されている。下部プレート２５の突起部２７の上方には閉塞部材２９が設けられており、閉塞部材２９の下部には下方に延出する雄ネジ部２９ａが設けられている。
【００５０】
上記した下部プレート２５の下面２５ｄの下方からアジャスタ２８の雄ネジ部２８ａが雌ネジ部２７ａに螺合されるようになっており、突起部２７の上方から閉塞部材２９の雄ネジ部２９ａが雌ネジ部２７ａに螺合されるようになっている。
【００５１】
そこで、脚フレーム２１の下端面２４’に下部プレート２５を取り付けるには、まず凸部２６を下端面２４’に形成された嵌合溝２４ｂに嵌合させて取り付ける。さらに、下部プレート２５ｄの下方よりネジ２５ｂをネジ挿通孔２５ａに挿通させ、下端面２４’に形成されたネジ取付溝２４ａに螺合させ、下端面２４’と上面２５ｃをしっかりと当接させて固定を行う。なお、凸部２６と嵌合溝２４ｂだけの嵌合で、下部プレート２５が脚フレーム２１から外れないのであれば、ネジ２５ｂを用いない簡便な手段でも良い。
【００５２】
アジャスタ２８が取り付けられる突起部２７は脚フレーム２１の内角側の下部プレート２５に設けられるので、脚フレーム２１の正面の内側面２２ａと側面の内側面２２ａ’の２側面から突起部２７が隠蔽されることで、テーブル１の外部からの体裁が良好となり脚フレーム２１のデザイン性を損なうことがない。
【００５３】
次いで、閉塞部材２９とアジャスタ２８との取り付けと、アジャスタ２８の高さ調整手順について、具体的に説明すると、図１０に示されるように、アジャスタ２８の雄ネジ部２８ａを突起部２７の雌ネジ部２７ａに螺合させていくことで位置調整と支持を行う。
【００５４】
そして、工具３３（例えば、六角レンチ）の先端を突起部２７の上方より差し込み、アジャスタ２８の嵌合部２８ｂに嵌合させたのち、工具３３の操作によってアジャスタ２８の雄ネジ部２７ａを回転させ、下部プレート２５の高さ調整を行うことで、脚フレーム２１の高さを調整し、テーブル１全体と床面３４とのバランス調整を行う。
【００５５】
このように、下部フレームの下部にアジャスタが取り付けられた状態であっても、突起部２７の上方より工具３３の先端をアジャスタ２８の嵌合部２８ｂに差し込んで高さ調整を行うことで、テーブル１を所望の高さへと容易に調整することができるので、従来のように脚フレーム２１を持ち上げてアジャスタ２８の高さ調整を行う必要がなく、作業者の労力を低減できる。
【００５６】
高さ調整の終了の後、嵌合部２８ｂから工具３３を抜き取り、突起部２７の雌ネジ部２７ａの上方より閉塞部材２９の雄ネジ部２９ａを螺合させることで、閉塞部材２９の取り付けを行う。
【００５７】
このように、閉塞部材２９の雄ネジ部２９ａを突起部２７に形成した雌ネジ部２７ａを利用して螺合させることで、突起部２７の上面に閉塞部材２９の取り付けが行われ、外部からの塵埃等が雌ネジ部２７ａに侵入することが防げる。
【００５８】
なお、脚フレーム２１と下部プレート２５の取り付けの位置関係については、下部プレート２５の周面における２側面が、脚フレーム２１と下部プレート２５の取り付け時において、脚フレーム２１の正面の外側面２３ａと側面の外側面２３ａ’の２側面と略面一となっている。したがって、脚フレーム２１と下部プレート２５との当接された継ぎ目を目立たせないようにできることから、テーブル１の外部からの体裁が良好となる。
【００５９】
以上の説明から、本発明である脚構造が適用された本実施例のテーブル１では、脚フレームの嵌合溝に下部プレートの凸部を嵌合させることで、脚フレームの下端面に下部プレートを容易に取り付けることができ、この下部プレートによってテーブルを支持する脚フレームの床面との当接面積が広くなるので、テーブル１の安定性を高めることができ、上面視略Ｌ字形の脚フレーム２１の斬新性とデザイン性を損うことがない。
【００６０】
以上、本発明の実施例を図面により説明してきたが、具体的な構成はこれら実施例に限られるものではなく、本発明の要旨を逸脱しない範囲における変更や追加があっても本発明に含まれ、例えば上記実施例では下部プレート２５の取り付けに際し、脚プレート２１嵌合溝２４ｂ及びネジ取付溝２４ａはに上下方向に貫通する条溝として形成されているが、本発明はこれに限定されるものではなく、少なくとも脚プレート２１の下端面２４’の一部に下部プレート２５の凸部２６が嵌合可能または、ネジ２５ｂが螺合可能な溝が形成されていれば良い。
【００６１】
また、上記実施例では、アジャスタ２８の嵌合部２８ｂに工具３３を嵌合させて高さ調整を行っているが、本発明はこれに限定されるものではなく、閉塞部材２９の雄ネジ部２９ａの下端に嵌合部２８ｂに嵌合する突起を設けて、閉塞部材２９の垂直軸周りの回転によりアジャスタ２８の高さ調整を行うようにしても良い。
【図面の簡単な説明】
【００６２】
【図１】本発明の実施例におけるテーブルの支持枠体のフレーム構造の全体像を示す斜視図である。
【図２】テーブルの支持枠体のフレーム構造の全体を示す分解斜視図である。
【図３】テーブルの支持枠体を構成するコーナー支持部材と、正面の天板支持フレームと、脚フレームとの分解組立斜視図を示す図である。
【図４】コーナー支持部材の嵌合突起と天板支持フレームとの連結を示す断面図である。
【図５】テーブルの支持枠体の一部を構成するコーナー支持部材にコーナーカバーを取り付ける分解組立斜視図を示す図である。
【図６】コーナー支持部材とコーナーカバーとの連結を示す断面図である。
【図７】正面と側面の天板支持フレームと、コーナー支持部材と、脚フレームと、コーナーカバーが連結された支持枠体の組立完成斜視図である。
【図８】支持枠体に天板を取り付けた状態を示すテーブルの斜視図である。
【図９】脚フレームの下端部の構造を示す分解組立斜視図である。
【図１０】図９のＡ−Ａ線の断面図である。
【符号の説明】
【００６３】
１                テーブル
２                天板
３                コーナー支持部材（支持枠体の一部）
４                端部支持板
４ａ              ボルト挿通孔
５                端部支持板
５ａ              ボルト挿通孔
６                上面支持板
６ａ、６ａ’      凹凸面
７                垂直支持板
７ａ、７ａ’      正面の内側面、側面の内側面
７ｂ、７ｂ’      正面の外側面、側面の外側面
７ｃ、７ｃ’      ネジ挿通孔
７ｄ、７ｄ’      ネジ挿通孔
７ｅ、７ｅ’      側端部
１０              嵌合突起
１０ａ            雌ネジ孔
１１              嵌合突起
１３、１３’      固定ネジ
１４              正面の天板支持フレーム（支持枠体の一部）
１４’            側面の天板支持フレーム（支持枠体の一部）
１５              上面部
１５ａ            凹凸面
１７              下面部
１８、１８’      端面
１８ａ、１８ａ’  嵌合溝
１８ｂ、１８ｂ’  雌ネジ部
１９              後面部
１９ａ            ネジ挿通孔（通孔）
２０、２０’      前面部
２０ａ、２０ａ’  凹凸面
２１              脚フレーム（支持枠体の一部）
２２ａ、２２ａ’  正面の内側面、側面の内側面
２２ｂ、２２ｂ’  ネジ挿通孔
２３ａ、２３ａ’  正面の外側面、側面の外側面
２３ｂ、２３ｂ’  ネジ穴
２４              上端面
２４’            下端面
２４ａ            ネジ取付溝
２４ｂ            嵌合溝
２５              下部プレート
２５ａ            ネジ挿通孔
２５ｂ            ネジ
２５ｃ            上面
２５ｄ            下面
２６              凸部
２７              突起部
２７ａ            雌ネジ部
２８              アジャスタ
２８ａ            雄ネジ部
２８ｂ            嵌合部
２８ｃ            上面
２９              閉塞部材
２９ａ            雄ネジ部
３１              外面部
３１ａ            凹凸面（正面の天板支持フレーム側）
３１ｂ            凹凸面（側面の天板支持フレーム側）
３２、３２’      ネジ受部
３２ａ、３２ａ’  ネジ穴
３３              高さ調整の工具
３４              床面
４１              連結ボルト
４３              固定ネジ（嵌合突起の位置固定）
４５、４６        固定ネジ（コーナーカバーの位置固定）
４７              取付金具
４７ａ            取付孔
４８              取付金具
４８ａ            取付孔
４９、５０        ネジ
５１、５２        ネジ
【図１】
2005185601.tif 000003
【図２】
2005185601.tif 000004
【図３】
2005185601.tif 000005
【図４】
2005185601.tif 000006
【図５】
2005185601.tif 000007
【図６】
2005185601.tif 000008
【図７】
2005185601.tif 000009
【図８】
2005185601.tif 000010
【図９】
2005185601.tif 000011
【図１０】
2005185601.tif 000012